【手続補正書】
【提出日】平成16年1月23日(2004.1.23)
【手続補正１】
【補正対象書類名】明細書
【補正対象項目名】全文
【補正方法】変更
【補正の内容】
【発明の名称】ドル箱搬送用台車
【特許請求の範囲】
【請求項１】景品球を収納するドル箱を載置する車輪付きの台と、該台から立設される支柱に設けられるハンドルとを有するドル箱搬送用台車において、
前記台は、前記支柱を立設させることができる立設位置を少なくとも２箇所備えており、
前記支柱は、前記立設位置に着脱自在に立設されていることを特徴とするドル箱搬送用台車。
【請求項２】請求項１に記載のドル箱搬送用台車において、
前記支柱が、前記台に一端を回転可能に支持された支持腕上に立設されていることを特徴とするドル箱搬送用台車。
【請求項３】請求項２に記載のドル箱搬送用台車において、
前記支持腕を、前記台の縁部に対して離脱可能に係止する係止手段が設けられていることを特徴とするドル箱搬送用台車。
【請求項４】景品球を収納するドル箱を載置する車輪付きの台と、該台から立設される支柱に設けられるハンドルとを有するドル箱搬送用台車において、
前記台は、パチンコホールに設置される椅子の脚にはめ込むための凹部が形成されていることを特徴とするドル箱搬送用台車。
【発明の詳細な説明】
【０００１】
【発明の属する技術分野】
本発明は、パチンコホールにおいて、ドル箱を搬送する台車に関する。
【０００２】
【従来の技術】
従来、パチンコ台から放出される景品球がドル箱一杯になると、該ドル箱を狭い足元に置き、新たに別のドル箱を用意していた。その後、さらに景品球が一杯になると次々に足元に積み重ねていた。そして、遊技終了後には、台車を台車置き場から運び、これに獲得した景品球の入ったドル箱を載せ、景品球計数器の所まで運んでいた。
【０００３】
【発明が解決しようとする課題】
しかし、一般的にパチンコホールの通路は狭いため、ドル箱を載せた後の台車を景品球計数器の所まで運ぶのは容易ではなく、特に狭い通路内で無理に台車の方向転換を行う場合には、バランスが崩れて倒れてしまう虞もある。このため、狭い通路でも方向転換を行うことができるように、台車を小さくすることも考えられるが、小さい台車にドル箱を載せると、さらにバランスが悪くなるため、倒れ易くなってしまう。
【０００４】
また、遊技者、あるいは店員にとって、台車を台車置き場から運び、これに獲得した景品球の入ったドル箱を載せ、景品球計数器の所まで運ぶという作業はかなり面倒である。さらに、遊技者が台車を持ってくる間に景品球を盗まれる可能性もある。このような理由から、台車は近くに置いてあることが好ましい。そこで、予め、足元に台車を置くことが考えられるが、一般的に座席間隔は可能な限り狭くしてあるので、足元は非常に狭い。このため、従来のような台車は足元に置くことが出来ない。
【０００５】
そこで、本発明は、狭い通路でも容易に方向転換を行うことができるドル箱搬送用台車を提供することを第１の目的とし、さらに、狭い足元に置くことができるドル箱搬送用台車を提供することを第２の目的とする。
【０００６】
【課題を解決するための手段及び発明の効果】
この様な第１の目的を達成するため、請求項１に記載のドル箱搬送機用台車は、景品球を収納するドル箱を載置する車輪付きの台と、該台から立設される支柱に設けられるハンドルとを有するドル箱搬送用台車において、前記台は、前記支柱を立設させることができる立設位置を少なくとも２箇所備えており、前記支柱は、前記立設位置に着脱自在に立設されていることを特徴とする。
【０００７】
この機構によれば、支柱の立設位置を変更することによって、台車に対するハンドルの位置及び向きを変えることが出来る。このため、台車自体を回転移動させることなく、台車の進行方向を変えることが出来る。従って、台車は直線移動だけを行うことになり、この結果、狭い通路でも容易に運搬が出来る。なお、上記の様な作用を呈する支柱の立設方法としては、例えば、台に穴あるいは凹部を設け、支柱を穴あるいは凹部に挿入する方法が挙げられる。そして、支柱の立設位置の変更は、支柱を穴あるいは凹部から抜き取り、少なくとも２つある穴の内の他の穴に挿入することによって行う。
【０００８】
また、請求項２に記載のドル箱搬送用台車は、請求項１に記載のドル箱搬送用台車において、前記支柱が、前記台に一端を回転可能に支持された支持腕上に立設されていることを特徴とする。
【０００９】
この機構によれば、支柱の立設位置は支持腕の回転動作によって変更する。従って、支柱を抜き挿しすることによって立設位置を変更するよりも、操作が容易である。
【００１０】
さらに、請求項３に記載のドル箱搬送用台車は、請求項２に記載のドル箱搬送用台車において、前記支持腕を、前記台の縁部に対して離脱可能に係止する係止手段が設けられていることを特徴とする。
【００１１】
この機構によれば、進行方向に合わせてハンドルの向きを設定した後で、その位置にハンドルを固定するため、意に反してハンドルの向きが変わってしまうことがない。
【００１２】
さらに、第２の目的を達成するため、請求項４に記載のドル箱搬送用台車は、景品球を収納するドル箱を載置する車輪付きの台と、該台から立設される支柱に設けられるハンドルとを有するドル箱搬送用台車において、
前記台は、パチンコホールに設置される椅子の脚にはめ込むための凹部が形成されていることを特徴とする。
【００１３】
この機構によれば、遊技開始時から遊技者の足元に台車を設置しておくことが可能である。このため、景品球が一杯になったドル箱は予め設置された台車に順次積まれてゆくことになり、台車を取りに行く手間も、床面に置いたドル箱を台車に載せ直す手間もかからない。遊技終了後は、既にドル箱が載せられている台車を、景品球計数器の所まで運ぶだけで良い。
【００１４】
また、店員を呼び、景品球を景品球計数器の所まで運んでもらう場合にも、店員が客の所へ来てから台車を取りに行き、台車と共に再び客の所まで来て、さらに台車にドル箱を載せるという手間がなくなる。これにより、店員の負担も多少軽くなる。
【００１５】
さらに、従来利用されていなかった椅子の下部の空間を有効に利用することができると共に、従来台車を置いていた台車置き場を別の目的に利用することができる。
【００１６】
さらにまた、この機構によれば、椅子の脚が台車の設置に支障を来さないので、各遊技機の幅と同じ程度の幅広の台を備える台車であっても足元に設置することができる。従って、大量の景品球を獲得した場合でも、一度に搬送することができる。また、台が小さい場合には、ドル箱を１箇所に高く積み上げなければならないが、この機構によれば台を大きくすることができるので、ドル箱を分散して積み上げることができる。この結果、重心を低くすることができるので、バランスを崩して倒れてしまうことがない。
【００１７】
【発明の実施の形態】
次に、本発明の実施の形態を図面に基づいて説明する。
［実施の形態１］
図１にドル箱搬送用台車１００全体の構造を示す。図１に示すように、車輪１０２の上に、ほぼ長方形の台１０１が設けられており、その一辺には凹部としてのＵ字状の溝１０３が深く設けられている。前記辺の両端の角以外の一角の部分が突出しており、その部分に回転軸１０４が設けられている。回転軸１０４には、支持腕１０５の一端が回転可能に軸支されている。支持腕１０５の他端には、折曲げ可能な支柱１０６が設けられている。さらに、支柱１０６の上にはハンドル１０７が設けられている。支柱１０６の下部には、支持腕１０５の回転を止め、支柱１０６を台１０１の縁部１０９に固定するために、上記の係止手段としての係止部材１０８が設けられている。
【００１８】
図２（ａ）、（ｂ）に支柱１０６の構造を示す。図２に示すように、支柱１０６は連結軸２０１で折曲げ可能であり、支柱上部２０２は固定部材２０４と回転軸２０５とストッパー２０７とを有し、支柱下部２０３は固定軸２０６とストッパー２０８とストッパー２０９とを有する。
【００１９】
図３（ａ）〜（ｄ）に係止部材１０８及び係止部材１０８の操作部の構造を示す。図３（ａ）は正面図、（ｂ）は左側面図、（ｃ）は右側面図、（ｄ）は上側固定板３０６と下側固定板３０７との間が押し広げられた状態の右側面図である。図３（ａ）〜（ｄ）に示すように、支柱１０６の下部にバネ３０５が巻かれており、カム軸３０１は支柱１０６とバネ３０５を貫通している。そして、楕円形カム３０２、３０３及び円板３０４がカム軸３０１に固定されている。上側固定板３０６と下側固定板３０７は、バネ３０５が収縮しようとする力によって、引き寄せられている。また、上側固定板３０６と下側固定板３０７には、凸部３０８が設けられている。円板３０４にはワイヤ３０９の一端が取り付けられており、他端はレバー３１０に取り付けられている。
【００２０】
支柱１０６を折曲げるときは、固定部材２０４を固定軸２０６から外し、支柱上部２０２を連結軸２０１を軸として、図２において反時計周りに回転させる。ストッパー２０７とストッパー２０９の噛み合いにより、支柱上部２０２は所定の位置までしか回転出来ないので、折曲げたときに支柱上部２０２と支柱下部２０３の間に隙間２１０ができる。なお、この隙間２１０は、少なくとも人の指が入り得る程度の幅になっている。
【００２１】
逆に、支柱１０６を伸ばすときは、時計周りに支柱上部２０２を回転させ、ストッパー２０７とストッパー２０８がかみ合うところで固定部材２０４を固定軸２０６に係止する。
【００２２】
図４（ａ）、（ｂ）に支持腕１０５の回転の様子を示す。縁部１０９に設けられている凹部４０１、４０２は、図３に示した係止部材１０８の凸部３０８とかみ合わせるためのものである。図４（ａ）の状態のとき、凹部４０１は、図３に示した凸部３０８とかみ合っている。図３に示したレバー３１０を引くと、ワイヤ３０９でつながれた円板３０４がカム軸３０１を中心に回転させられる。この回転のため、円板３０４と共に楕円形カム３０２、３０３が回転し、図３（ｄ）に示すように上側固定板３０６と下側固定板３０７の間がバネ３０５の収縮しようとする力に抗して押し広げられる。この結果、凸部３０８が凹部４０１から外れ、支持腕１０５は回転軸１０４の周りを反時計周りに回転し、図４（ｂ）の位置まで移動する。この状態でレバー３１０を戻すと、凸部３０８が凹部４０２とかみ合い、支持腕１０５が固定される。
【００２３】
遊技開始前に、図５（ａ）に示すように椅子の脚に台１０１に設けられたＵ字状の溝１０３をはめ込み、支柱１０６が邪魔なときは支柱１０６を折曲げる。
遊技終了後は、図５（ａ）の矢印Ｘ方向にドル箱Ｉを載せたドル箱搬送用台車１００を移動し、椅子の脚から外す。そして、支持腕１０５を前述の様に回転させ、図５（ｂ）の様な状態にし、ドル箱搬送用台車１００を矢印Ｙ方向に押して、あるいは反対方向に引いて、景品球計数器の所までドル箱搬送用台車１００を運ぶ。
【００２４】
［実施の形態２］
図６（ａ）の様に、実施の形態１記載のドル箱搬送用台車１００において、台６０１の凹部６０２にゴム板６０３を貼り着ける。これにより、凹部が椅子の脚へはめ込まれる時の衝撃を小さくすることが出来る。
【００２５】
［実施の形態３］
図６（ｂ）の様に、実施の形態１記載のドル箱搬送用台車１００において、台６０１の凹部６０２の入口角部に面取り部６０４を設けた構造にする。これにより、凹部６０２を円滑に椅子の脚へはめ込むことが出来る。
【００２６】
以上、本発明の実施の形態を説明したが、本発明は、上記実施の形態に限定されるものではなく、さらに種々なる態様にて実施してもよいことはもちろんである。例えば、椅子の脚が複数本である場合に、台に設ける凹部を複数個として脚に合わせることが考えられる。また、台の形は四角形でなく、円形やその他の形状でも実現可能である。
【図面の簡単な説明】
【図１】実施の形態１のドル箱搬送用台車の斜視図である。
【図２】支柱の要部の側面図である。
【図３】係止部材と係止部材の操作部の要部の説明図である。
【図４】支持腕の回転機構を示す平面図である。
【図５】ドル箱搬送用台車の使用状態を示す斜視図である。
【図６】実施の形態２と実施の形態３の台の斜視図である。
【符号の説明】
１００・・・ドル箱搬送用台車、１０１・・・台、１０２・・・車輪、１０３・・・Ｕ字状の溝（凹部）、１０４・・・回転軸、１０５・・・支持腕、１０６・・・支柱、１０７・・・ハンドル、１０８・・・係止部材（係止手段）、１０９・・・縁部、２０１・・・連結軸、２０２・・・支柱上部、２０３・・・支柱下部、２０４・・・固定部材、２０５・・・回転軸、２０６・・・固定軸、２０７・・・ストッパー、２０８・・・ストッパー、２０９・・・ストッパー、２１０・・・隙間、３０１・・・カム軸、３０２・・・楕円形カム、３０３・・・楕円形カム、３０４・・・円板、３０５・・・バネ、３０６・・・上側固定板、３０７・・・下側固定板、３０８・・・凸部、３０９・・・ワイヤ、３１０・・・レバー、４０１・・・凹部、４０２・・・凹部、６０１・・・台、６０２・・・凹部、６０３・・・ゴム板、６０４・・・面取り部、Ｉ・・・ドル箱、Ｘ・・・矢印、Ｙ・・・矢印。